(57)【要約】【課題】限定受信機能を有する受信装置装置において、契約されているかどうか、ＥＭＭ受信のための通電制御が行われるかどうかを容易に確認することができるようにする。【解決手段】限定受信に関する契約情報のＥＭＭを受信した際に受信ログ情報を不揮発性メモリに記録し、記録したログ情報を画面に表示する手段を設ける。また前記ＥＭＭを受信し、受信ログ情報を記録した際にＬＥＤを点灯する。さらに電源オフ時にＥＭＭの通電制御が実行されるときは、通電制御時間を画面に表示する。【選択図】  図１
2004222034.tif 000002
【特許請求の範囲】
【請求項１】
限定受信機能を有する受信装置において、限定受信に関する契約情報を受信する手段と前記情報を受信した際に受信ログ情報を記録する手段と、前期記録したログ情報を表示する手段とを有することを特徴とする受信装置。
【請求項２】
前記限定受信に関する契約情報の受信ログ情報は、受信した時刻、受信したチャンネル情報、受信したカードＩＤより構成されることを特徴とした請求項１記載の受信装置。
【請求項３】
前記限定受信に関する契約情報の受信ログ情報が更新された場合に、更新を告知する手段を有することを特徴とした請求項１記載の受信装置。
【請求項４】
限定受信に関する契約情報を受信するために、ユーザによる電源オフ時に一定時間待機状態で通電する受信装置において、電源オフ時に待機状態に移行することを告知する手段と待機時間を告知する手段を有することを特徴とする受信装置。
【請求項５】
限定受信に関する契約情報を受信するために、ユーザによる電源オフ時に一定時間待機状態で通電する受信装置において、待機状態で限定受信に関する契約情報を受信中であることを告知する手段を有することを特徴とする受信装置。
【発明の詳細な説明】
【０００１】
【発明の属する技術分野】
本発明は、衛星放送，地上波放送、ＣＡＴＶ（ケーブルテレビジョン）等で用いられる信号を受信する装置に関し、特に、スクランブルが掛かった信号を受信する限定受信の機能を有する受信装置に関するものである。
【０００２】
【従来の技術】
ＢＳデジタル放送やＣＳデジタル放送などの衛星放送の有料放送システムにおいては、限定受信の仕組みがＢＳデジタル放送限定受信方式規格（ＡＲＩＢ−ＳＴＤ−Ｂ２５）などで規定されており、通常は、受信装置に限定受信を可能にするＩＣカードを装着し、放送事業者が契約者の受信装置のＩＣカードに対し、所定の契約情報をＥＭＭ（Ｅｎｔｉｔｌｅｍｅｎｔ  Ｍａｎａｇｅｍｅｎｔ  Ｍｅｓｓａｇｅ）という形式で放送電波に多重して送信し、受信装置は、受信した信号の中から装着されているＩＣカード宛てのＥＭＭを取り出し、ＩＣカードに送信することで契約情報がＩＣカードに記録され、限定受信の放送が視聴可能になる。そのため、受信装置は、この契約情報を含むＥＭＭを受信するためにＥＭＭが多重されている所定のチャンネルを受信した状態にしておく必要がある。
【０００３】
また、ＢＳデジタル放送限定受信方式規格（ＡＲＩＢ−ＳＴＤ−Ｂ２５）などには、サブ電源オフ時に一定時間ＥＭＭを受信するための通電制御の仕組みが規定されている。ＩＣカードに通電制御情報が存在する場合は、受信装置はその通電制御情報をＩＣカード装着時に読み出し、ユーザによるリモコンなどによるサブ電源オフ時の待機状態において、チューナ部、復調／誤り訂正部、ＩＣカード制御部などＥＭＭを受信するために必要な機能を通電した待機状態１に移行し、通電情報に従い所定の時間、所定のチャンネルを受信し、ＥＭＭを受信しＩＣカードに記録する。通電時間が終了した後で、チューナ部、復調／誤り訂正部、ＩＣカード制御部などの機能を停止し電源制御部のみ機能する待機状態２に移行する（例えば、特許文献１参照）。
【０００４】
上記仕組みを実現するために、市販のＢＳデジタル受信装置などでは、例えば、フロントパネル部の電源ＬＥＤの色を待機状態１と待機状態２で変えることで状態の識別ができるようにしている。上記のような受信装置において、一般にユーザはいつＥＭＭが送出されているかは感知せず、受信機がＥＭＭを受信してＩＣカードに正しく契約情報が記録されて契約済みであるかどうかは、所定の有料番組を選局して、視聴可能かどうかで判断をしていた。
【０００５】
【特許文献１】
特開平１１−１１２９５８号公報
【０００６】
【発明が解決しようとする課題】
しかしながら、映像や音声データの含まれない蓄積データ専用のチャンネルなどの契約の場合、映像、音声が再生されないので契約されてデスクランブルが解ける状態になったかどうか判断が困難であった。また、映像、音声が送信されているチャンネルで契約が確認できる場合でも、ＥＭＭが送信されているチャンネルと映像、音声が送信されているチャンネルが異なる場合、いつまで、受信しておけばよいのか判断ができなかった。
【０００７】
また、従来技術の待機状態１においては、通電制御によるＥＭＭ受信だけでなく、時間帯によっては番組情報の更新や受信装置のプログラムや放送に関わる共通データ情報のダウンロードによる更新も行われることがある。そのため、待機状態１で現在どの処理が行われているのか不明であり、ユーザが待機状態中に不用意にＡＣ電源を切断してしまい、契約情報の受信機会を減少させてしまう可能性もあった。
【０００８】
本発明では、上記の課題を解決し、契約情報が送信されたかどうかを容易に確認できることを目的とする。また、待機状態で契約情報を受信しているときに不用意にＡＣ電源を切断することを回避し、契約情報受信を確実に行える受信装置を提供する。
【０００９】
【課題を解決するための手段】
前記課題を解決するために本発明の請求項１では、限定受信に関する契約情報を受信する手段と前記情報を受信した際に受信ログ情報を記録する手段と、前期記録したログ情報を表示する手段とを有し、契約情報が受信されたことを確認可能にする。
【００１０】
請求項２では前記限定受信に関する契約情報の受信ログ情報は、受信した時刻、受信したチャンネル情報、受信したカードＩＤより構成する。
【００１１】
また請求項３では前記受信ログ情報が更新された場合に、更新を告知する手段を有する。
【００１２】
請求項４では限定受信に関する契約情報を受信するために、ユーザによる電源オフ時に一定時間待機状態で通電する受信装置において、電源オフ時に待機状態に移行することを告知する手段と待機時間を告知する手段とを有する。
【００１３】
請求項５では限定受信に関する契約情報を受信するために、ユーザによる電源オフ時に一定時間待機状態で通電する受信装置において、待機状態で限定受信に関する契約情報を受信中であることを告知する手段を有する。
【００１４】
【発明の実施の形態】
図１は本発明の一実施例を示すブロック図であり、契約情報をＩＣカードで管理する有料放送システムにおける受信装置の構成を示す。以下受信装置１００の基本動作について説明する。
【００１５】
アンテナ１０１から入力された放送波はチューナ部１０２で受信され、復調／誤り訂正部１０３でトランスポートストリーム（ＩＳＯ／ＩＥＣ１３８１８−１規定の形式。以下ＴＳと記す。）に復調され、さらに誤り訂正が行われ、デスクランブラ１０４に入力される。デスクランブラ１０４ではＣＰＵ制御部１１０を介して設定される番組鍵により入力された信号がデスクランブルされ、デマルチプレクサ１０５に入力される。
【００１６】
デマルチプレクサ１０５では入力されたＴＳ信号が各コンポ−ネントに分離され、映像音声デコード部１０６で映像、音声データの復号が行われる。この復号された映像、音声信号は映像音声出力部１０７でアナログ信号に変換されＴＶモニター１１５にて、映像、音声として視聴することができる。
【００１７】
ここで、上述したＴＳにはスクランブルの掛けられる映像や音声およびデータの他に番組配列情報や選局するためのテーブル情報や時刻情報などのスクランブルの掛かっていない制御データがパケット化して多重されており、スクランブルの掛かっていないパケットはデスクランブラ１０４では何も処理されずにデマルチプレクサ１０５に入力される。
【００１８】
デマルチプレクサ１０５で分離された番組配列情報や選局するためのテーブル情報や時刻情報などは、ＣＰＵ制御部１１０へ供給され、受信装置１００を制御するデータを作成するために用いられる。たとえば、時刻情報は、タイマ１１２に設定され、受信装置１００の参照する時刻を生成する。
【００１９】
映像や音声やデータがスクランブルされて放送されている場合、ＩＣカード１１４によってスクランブル解除を判定する。ＩＣカード１１４は、契約者固有のＩＣカードＩＤを持ち、固有のＩＣカードＩＤ宛ての契約情報が含まれるＥＭＭを記憶し、それによって、視聴可能かどうか判定できる。このＥＭＭは前記ＴＳに多重化され、デマルチプレクサ１０５で映像や音声などの他のデータと分離され、カード制御部１０９を介して、ＩＣカード１１４に書き込まれる。
【００２０】
また、スクランブルが掛かっている番組についてはそれをデスクランブルするための鍵が暗号されているＥＣＭ（Ｅｎｔｉｔｌｅｍｅｎｔ  Ｃｏｎｔｒｏｌ  Ｍｅｓｓａｇｅ）が同じくＴＳに多重されており、このＥＣＭについてもデマルチプレクサ１０５で分離され、ＥＭＭと同様にカード制御部１０９を介して、ＩＣカード１１４に出力される。ここで、ＥＭＭが書き込まれて契約されているＩＣカード１１４はＥＣＭを復号し、鍵をカード制御部１０９に出力し、ＣＰＵ制御部１１０はこの鍵をデスクランブラ１０４に設定することでスクランブルの解除が行われ、番組視聴が可能になる。
【００２１】
不揮発性メモリ１１１はフラッシュメモリやＥＥＰＲＯＭなどで構成されており、受信装置１００が電源投入後の起動時に前回受信していたチャンネルなどの受信に必要な制御情報や番組情報などを記憶しておく。ユーザＩ／Ｆ部１１３はリモコンやフロントパネルのボタンなどのユーザ操作を受信しＣＰＵ制御部１１０へ送信し、ＣＰＵ制御部１１０はその内容を解釈し受信装置１００を制御する。表示部１０８は受信装置１００のフロントパネルなどに装備されるＬＥＤ（発光ダイオード）または液晶パネルなどで構成され、現在受信中のチャンネル番号や電源状態など表示する。
【００２２】
請求項１の発明の実施例では、デマルチプレクサ１０５で分離されたＥＭＭのうちＩＣカード１１４の持つＩＣカードＩＤが含まれるＥＭＭのみをＣＰＵ制御部１１０で選択し、カード制御部１０９を介してＩＣカード１１４に送信する。ＩＣカード１１４は受信したＥＭＭが正しい形式かどうかを判断し、正しく受信した場合は正常受信状態を、不正な場合はエラー状態をカード制御部１０９に返信する。ＣＰＵ制御部１１０はカード制御部１０９から正常受信状態を受信すると、正しく契約情報が書き込まれたと判断し、契約情報取得済みの状態を所定の形式で不揮発メモリ１１１に書き込む。
【００２３】
また、請求項２の発明の実施例では、前記ＣＰＵ制御部１１０はカード制御部１０９からＥＭＭの正常受信状態を受信すると、タイマ１１１からその時点の時刻情報を読み出し、ＩＣカードＩＤ、および、ＥＭＭを受信したチャンネル番号、放送事業者などのチャンネル情報とともに不揮発メモリ１１１に書き込む。ユーザがリモコンなどの所定の操作を行うと、ユーザＩ／Ｆ部１１３を介してユーザ操作の指示がＣＰＵ制御部１１０に送信され、ＣＰＵ制御部１１０は前記の不揮発性メモリ１１１に記録した契約情報取得のログを不揮発性メモリ１１１から読み出し、オンスクリーン表示可能な所定のフォーマットで映像音声出力部１０７に出力しＴＶモニター１１５に表示する。
【００２４】
図２は請求項１および請求項２のログ情報をＴＶモニター１１５に表示した場合の表示画面の一例である。図２の＊＊＊＊、△△△△は放送事業者などを特定する情報であり、この情報はＴＳに含まれるＮＩＴ（Ｎｅｔｗｏｒｋ−ＩＤ−Ｔａｂｌｅ）やＢＩＴ（ＢｒｏａｄｃａｓｔＩＤ）に記述されており受信しているチャンネル番号によって特定される。ＩＣカード１１４は着脱可能なため、受信装置１００は、他のＩＣカードを装着することもでき、ＩＣカードＩＤを履歴に残すことで、受信装置１００で契約情報のＥＭＭを受信したすべてのＩＣカードの契約履歴を確認することが可能となる。
【００２５】
図３は本発明の一実施例を示す受信装置のフロントパネルの模式図である。また図４は請求項１、２、３の実施例を示すＣＰＵ制御部１１０の制御の説明のためのフローチャートである。図４においてＳ４０１からＳ４０６の制御ステップは図１を用いた請求項１、２の実施例の制御と同じである。以下図３と図４を用いて請求項３の実施例について説明する。
【００２６】
Ｓ４０６で契約情報履歴を不揮発性メモリ１１１に記録した後、Ｓ４０７でフロントパネルのＬＥＤ２（３０３）を点灯し、ユーザに新たに契約情報のＥＭＭがＩＣカードに書き込まれたことを告知する。ＣＰＵ制御部１１０はＬＥＤ２（３０３）を点灯した後、ユーザがリモコンなどを操作して、前記説明した契約情報の履歴を表示したかどうかの状態を保持しており、Ｓ４０８で履歴表示が完了したことが検知された場合、Ｓ４０９でＬＥＤ２（３０３）を消灯する。このように構成することでユーザに契約情報の履歴を確認するタイミングを通知することができる。
【００２７】
次に図３と図５および図６を用いて請求項４の実施例を説明する。図５はユーザ操作による電源オフ時にＩＣカードが通電制御情報を保持していた場合にＴＶモニター１１５に表示する告知内容の表示例を示した図である。また図６は請求項３の制御例を示すフローチャートである。図３のＬＥＤ１（３０２）は本発明の受信装置の通電状態によって点灯の色が変わるように構成されている。
【００２８】
たとえば、構成するすべての機能部分に通電されている状態は緑色、映像音声の再生の機能は停止、すなわち映像音声デコード部１０６、映像音声出力部１０７は通電されていない状態で、ＥＭＭなどの受信のためのその他の機能部分は通電されている待機状態１のときは黄色、ユーザのリモコンの電源ボタンの操作またはフロントパネル３００の電源ボタン３０１の操作のみ取得するためにユーザＩ／Ｆ部１１３とＣＰＵ制御部１１０と表示部１０８のみ通電されている待機状態２のときは赤色に点灯するように制御されている。
【００２９】
ユーザによる電源オフ操作が行われると、ユーザＩ／Ｆ部１１３はＳ６０１の電源オフ操作を受信し、ＣＰＵ制御部１１０に通知する。ＣＰＵ制御部１１０は、Ｓ６０２で映像音声再生処理を停止し、次にＩＣカード１１４からカード制御部１０９を介して、通電制御情報を読み出し、待機状態１で通電すべきかどうかＳ６０３にて確認する。
【００３０】
通電制御情報がない、または、あってもタイマ１１２から読み出した現在時刻が通電すべき期間と合致していない場合は、Ｓ６０８の待機状態２（ＬＥＤ１（３０２）が赤）に移行する。
【００３１】
一方Ｓ６０３で有効な通電制御情報が存在する場合は、通電制御情報に含まれる通電期間を読み出し、契約情報取得の通電を所定の時間行う旨のメッセージを生成し、Ｓ６０４でＴＶモニター１１５に一定時間表示する。
【００３２】
図５はＳ６０４で表示されるメッセージの一例であり、ユーザが十分認識できるだけの時間、たとえば数秒間表示する。その後、映像音声デコード部１０６、映像音声出力部１０７の機能を停止し、Ｓ６０５の待機状態１に移行ＬＥＤ１（３０２）を緑色から黄色に変更する。その後、Ｓ６０６で通電制御情報に含まれるＥＭＭを受信すべきチャンネルを選局し、通電制御情報に含まれる通電時間の間ＥＭＭを受信する。Ｓ６０７で通電時間が経過したかどうか判断し、通電時間が完了すれば、Ｓ６０８の待機状態２に移行し、ユーザＩ／Ｆ部１１３とＣＰＵ制御部１１０と表示部１０８以外の機能を停止し、ＬＥＤ１（３０２）を黄色から赤色に変更する。
【００３３】
図７は請求項５の実施例の制御を表すフローチャ−トである。前記例では、電源オフ操作をしたユーザのみが契約情報受信のための通電が実施されることを認識可能であるが、それ以外のユーザは一旦待機状態１に移行してしまうと他の情報受信のための処理が行われているのかどうか認識できない。図７では待機状態１ではＥＭＭ受信のための通電のみだけでなく、他の情報受信のために通電される受信装置１００の制御例を示す。
【００３４】
図７のＳ７０１からＳ７０３までの制御は図６のＳ６０１からＳ６０３までと同じである。Ｓ７０３で有効な通電制御情報が存在する場合は、Ｓ７０４でフロントパネル３００のＬＥＤ２（３０３）を点滅させ、その後、映像音声デコード部１０６、映像音声出力部１０７の機能を停止し、Ｓ７０５の待機状態１に移行ＬＥＤ１（３０２）を緑色から黄色に変更する。その後、Ｓ７０６で通電制御情報に含まれるＥＭＭを受信すべきチャンネルを選局し、通電制御情報に含まれる通電時間の間ＥＭＭを受信する。
【００３５】
Ｓ７０７で通電時間が経過したかどうか判断し、通電時間が完了すれば、Ｓ７０８でＬＥＤ２（３０３）の点滅を停止する。その後Ｓ７０９で他の受信すべき情報があるか判断し、あれば、Ｓ７１０で受信すべき所定のチャンネルを選局し、さらに待機状態１を継続する。このように順次、待機状態１で受信すべき情報を受信し、Ｓ７１１で全ての受信が完了したかどうかを確認し、Ｓ７１２の待機状態２に移行し、ユーザＩ／Ｆ部１１３とＣＰＵ制御部１１０と表示部１０８以外の機能を停止し、ＬＥＤ１（３０２）を黄色から赤色に変更する。
【００３６】
尚、請求項３の制御の実施例では、待機状態１の通電期間中にＥＭＭを受信し契約情報が正しく書き込まれた場合は、次回電源オン時はＬＥＤ２（３０３）は点灯するように制御しているが、待機状態１でのＥＭＭの通電制御期間終了後は、待機状態１、２の間はＬＥＤ２（３０３）は消灯しておいても、待機状態１の時のみ点灯し、待機状態２では消灯しておいても、待機状態１、待機状態２でも常に点灯しておいてもよい。
【００３７】
【発明の効果】
以上のように本発明の受信装置では、契約情報が送信されたかどうかを適切なタイミングで容易に確認することができる。また、待機状態で契約情報を受信しているときに不用意にＡＣ電源を切断することを回避し、契約情報受信を確実に行うことが可能となる。
【図面の簡単な説明】
【図１】本発明の受信装置の一実施例の構成を示すブロック図
【図２】本発明の受信装置の契約情報受信履歴の表示例を示す図
【図３】本発明の受信装置のフロントパネルの一実施例の模式図
【図４】本発明の請求項１、２、３の受信装置の制御例を示すフローチャート
【図５】本発明の請求項４の受信装置の通電制御を告知する表示例を示す図
【図６】本発明の請求項４の受信装置の制御例を示すフローチャート
【図７】本発明の請求項５の受信装置の制御例を示すフローチャート
【符号の説明】
１００  受信装置
１０１  アンテナ
１０２  チューナ部
１０３  復調／誤り訂正部
１０４  デスクランブラ
１０５  デマルチプレクサ
１０６  映像音声デコード部
１０７  映像音声出力部
１０８  表示部
１０９  カード制御部
１１０  ＣＰＵ制御部
１１１  不揮発性メモリ
１１２  タイマ
１１３  ユーザＩ／Ｆ部
１１４  ＩＣカード
１１５  ＴＶモニター
３００  フロントパネル
３０１  電源ボタン
３０２  ＬＥＤ１
３０３  ＬＥＤ２
３０４  ＩＣカードスロット
【図１】
2004222034.tif 000003
【図２】
2004222034.tif 000004
【図３】
2004222034.tif 000005
【図４】
2004222034.tif 000006
【図５】
2004222034.tif 000007
【図６】
2004222034.tif 000008
【図７】
2004222034.tif 000009